(57)【特許請求の範囲】
【請求項１】
表示画面を含む表示装置が収容された筐体を有し、該筐体が接続される位置を操作者に示すための目印となりうる第一マーク部が設けられた第一面と、この第一面の反対側の第二面と、前記第一面と前記第二面との間に亘る側部と、この側部に設けられた第一コネクタと、を有した電子機器に対して、前記表示画面が傾斜した状態に位置されるように前記第二面を支持する第一支持部と、
前記第一支持部が前記電子機器を前記表示画面が傾斜した状態に位置されるように前記第二面を支持した状態で、前記電子機器の前記側部を支持する第二支持部と、
前記第二支持部内に位置された領域から外側に向かって露出され、前記表示画面が傾斜した状態の前記電子機器の前記第一コネクタと接続可能な第二コネクタと、
前記第一支持部が前記電子機器を前記表示画面が傾斜した状態に位置されるように前記第二面を支持した状態で、前記第一面の少なくとも一部を覆う覆部と、
前記電子機器を前記表示画面が傾斜した状態で接続される位置に移動させる場合に、前記電子機器を前記接続される位置まで案内可能に操作者に示すための、前記第一マーク部と対応した目印となりうる第二マーク部と、
を備え、
前記第二コネクタは、前記覆部より高く突出し、
前記第二マーク部は、前記第一支持部に設けられるとともに、前記電子機器が支持された状態で前記第一面の正面側となる方向からの前記電子機器が支持されていない状態での視線で前記第二コネクタより上側で前記第一コネクタと前記第二コネクタとの接続方向に沿って延びた部分を有した、ドッキングステーション。
【請求項２】
前記第一マーク部および前記第二マーク部のうち少なくとも一方が、ロゴの少なくとも一部である、請求項１に記載のドッキングステーション。
【請求項３】
前記第二マーク部は、前記第二コネクタに設けられた、請求項１に記載のドッキングステーション。
【請求項４】
前記第一マーク部および前記第二マーク部のうち少なくとも一方が、模様の境界部である、請求項１〜３のうちいずれか一つに記載のドッキングステーション。
【請求項５】
前記第一マーク部および前記第二マーク部のうち少なくとも一方が、機能部品である、請求項１〜４のうちいずれか一つに記載のドッキングステーション。
【請求項６】
前記第一マーク部および前記第二マーク部のうち少なくとも一方が、複数の機能部品または当該複数の機能部品の間の領域である、請求項１〜５のうちいずれか一つに記載のドッキングステーション。
【請求項７】
表示画面と第一マーク部とが設けられた第一面と、この第一面の反対側の第二面と、前記第一面と前記第二面との間に亘る側部と、この側部に設けられた第一コネクタと、を有した他の電子機器の、前記第二面を支持し、前記第一マーク部と対応した第二マーク部が設けられた第一支持部と、
前記第一マーク部と対応した状態に前記第一コネクタと接続される第二コネクタが突出され、前記側部を支持する第二支持部と、
前記第一面の少なくとも一部を覆う覆部と、
を備え、
前記第二コネクタは、前記覆部より高く突出し、
前記第二マーク部は、前記電子機器が支持された状態で前記第一面の正面側となる方向からの前記電子機器が支持されていない状態での視線で前記第二コネクタより上側で前記第一コネクタと前記第二コネクタとの接続方向に沿って延びた部分を有した、電子機器。
【請求項８】
側部に第一コネクタが設けられた外部機器の背面を支持可能な第一支持部と、
前記外部機器の前記第一コネクタと接続可能な第二コネクタと、
前記第一コネクタと前記第二コネクタとが接続された状態の前記外部機器の位置を示す印部と、
前記外部機器の前面の少なくとも一部を覆う覆部と、
を備え、
前記第二コネクタは、前記覆部より高く突出し、
前記印部は、前記第一支持部に設けられるとともに、前記外部機器が支持された状態で当該外部機器の正面側となる方向からの当該外部機器が支持されていない状態での視線で前記第二コネクタより上側で前記第一コネクタと前記第二コネクタとの接続方向に沿って延びた部分を有した、電子機器。
【発明の詳細な説明】
【技術分野】
【０００１】
本発明の実施形態は、ドッキングステーションおよび電子機器に関する。
【背景技術】
【０００２】
従来、パーソナルコンピュータ等の電子機器のコネクタと接続されるコネクタを有し、それらコネクタ同士が接続された状態で当該電子機器を保持するドッキングステーションが知られている。
【先行技術文献】
【特許文献】
【０００３】
【特許文献１】特開平１１−５３０５２号公報
【発明の概要】
【発明が解決しようとする課題】
【０００４】
この種のドッキングステーションでは、電子機器を、ドッキングステーションおよび電子機器のコネクタ同士が接続される位置に、より容易にあるいはより精度良く移動させやすいことが、望ましい。
【０００５】
そこで、本発明の実施形態は、一例として、電子機器をドッキングステーションの所定の位置により容易にあるいはより精度良く移動させやすいドッキングステーションを得ることを目的の一つとする。
【課題を解決するための手段】
【０００６】
本発明の実施形態にかかるドッキングステーションは、第一支持部と、第二支持部と、第二コネクタと、覆部と、第二マーク部と、を備える。第一支持部は、表示画面を含む表示装置が収容された筐体を有し、該筐体が接続される位置を操作者に示すための目印となりうる第一マーク部が設けられた第一面と、この第一面の反対側の第二面と、第一面と第二面との間に亘る側部と、この側部に設けられた第一コネクタと、を有した電子機器の第二面を、表示画面が傾斜した状態に位置されるように支持する。第二支持部は、第一支持部が電子機器を表示画面が傾斜した状態に位置されるように第二面を支持した状態で、電子機器の側部を支持する。第二コネクタは、第二支持部内に位置された領域から外側に向かって露出され、表示画面が傾斜した状態の電子機器の第一コネクタと接続可能である。覆部は、第一支持部が電子機器を表示画面が傾斜した状態に位置されるように第二面を支持した状態で、第一面の少なくとも一部を覆う。第二マーク部は、電子機器を表示画面が傾斜した状態で接続される位置に移動させる場合に、電子機器を接続される位置まで案内可能に操作者に示すための、第一マーク部と対応した目印となりうる。第二コネクタは、覆部より高く突出し、第二マーク部は、第一支持部に設けられるとともに、電子機器が支持された状態で第一面の正面側となる方向からの電子機器が支持されていない状態での視線で第二コネクタより上側で第一コネクタと第二コネクタとの接続方向に沿って延びた部分を有する。
【図面の簡単な説明】
【０００７】
【図１】図１は、第１実施形態にかかるドッキングステーションおよびドッキングステーションに接続された電子機器の一例が示された斜視図である。
【図２】図２は、図１に示された電子機器の一例の正面図である。
【図３】図３は、図１に示された電子機器の一例の背面図である。
【図４】図４は、図１に示された電子機器の一例の側面図である。
【図５】図５は、図１に示された電子機器の一例の別の側面図である。
【図６】図６は、図１に示されたドッキングステーションの斜視図である。
【図７】図７は、図１に示されたドッキングステーションの正面図である。
【図８】図８は、図１に示されたドッキングステーションの背面図である。
【図９】図９は、図１に示されたドッキングステーションを側方から見た斜視図である。
【図１０】図１０は、図１に示されたドッキングステーションの筐体内の構成の一例が示された平面図（下面図）である。
【図１１】図１１は、図１に示されたドッキングステーションの分解斜視図である。
【図１２】図１２は、第１実施形態にかかるドッキングステーションに電子機器が接続される前の状態の一例が示された正面図である。
【図１３】図１３は、第１実施形態にかかるドッキングステーションに電子機器が接続された状態の一例が示された正面図である。
【図１４】図１４は、第２実施形態にかかるドッキングステーションの一例が示された斜視図である。
【図１５】図１５は、第３実施形態にかかるドッキングステーションの一例が示された斜視図である。
【図１６】図１６は、第４実施形態にかかるドッキングステーションの一例が示された斜視図である。
【図１７】図１７は、第５実施形態にかかるドッキングステーションに電子機器が接続される前の状態の一例が示された背面図である。
【図１８】図１８は、第５実施形態にかかるドッキングステーションに電子機器が接続された状態の一例が示された背面図である。
【図１９】図１９は、第６実施形態にかかるドッキングステーションに電子機器が接続される前の状態の一例の一部が示された正面図である。
【図２０】図２０は、第７実施形態にかかるドッキングステーションに電子機器が接続される前の状態の一例の一部が示された正面図である。
【図２１】図２１は、第８実施形態にかかるドッキングステーションに電子機器が接続される前の状態の一例の一部が示された正面図である。
【図２２】図２２は、第８実施形態にかかるドッキングステーションに電子機器が接続された状態の一例の一部が示された正面図である。
【図２３】図２３は、第９実施形態にかかるドッキングステーションに電子機器が接続される前の状態の一例の一部が示された正面図である。
【図２４】図２４は、第１０実施形態にかかるドッキングステーションに電子機器が接続される前の状態の一例の一部が示された正面図である。
【図２５】図２５は、第１０実施形態にかかるドッキングステーションに電子機器が接続された状態の一例の一部が示された正面図である。
【図２６】図２６は、第１実施形態の変形例にかかるドッキングステーションの一例が示された背面図である。
【図２７】図２７は、第５実施形態の変形例にかかるドッキングステーションに電子機器が接続された状態の一例が示された背面図である。
【発明を実施するための形態】
【０００８】
以下の複数の実施形態には、同様の構成要素が含まれている。よって、以下では、同様の構成要素には共通の符号が付されるとともに、重複する説明が省略される。
【０００９】
＜第１実施形態＞
本実施形態にかかるドッキングステーション１は、電子機器２が接続されることで、電子機器２が本来有しているコネクタ数を増やしたり、本来有している機能を拡張したり、本来有していない機能を付加したりすることができる。すなわち、ドッキングステーション１は、電子機器２に対しての機能拡張装置の一例である。
【００１０】
図１に示されるように、本実施形態にかかるドッキングステーション１は、比較的薄い扁平な電子機器２を、当該電子機器２が立った状態で支える。すなわち、ドッキングステーション１は、電子機器２の支持装置、保持装置、支持台、支持部、載台、ホルダの一例である。
【００１１】
また、ドッキングステーション１は、電子機器２のコネクタ（接続部、接続領域）２ａ（図５等参照）と接続されるコネクタ（接続部、接続領域）１ａ（図６，７等参照）を備えている。ドッキングステーション１は、コネクタ１ａとコネクタ２ａとが接続された状態で、電子機器２を支持する。
【００１２】
また、ドッキングステーション１は、コネクタ１ａ以外に、電子機器２のコネクタ２ａ以外のコネクタ（外部コネクタ）と接続するコネクタ１ｂ（図８等参照）を備えている。すなわち、ドッキングステーション１は、第三の電子機器（図示されず）等との間に介在する介在装置の一例である。
【００１３】
そして、上述したように、機能拡張装置、接続装置、介在装置等として機能するため、ドッキングステーション１の筐体１０内には、モジュールや部品として、コネクタ１ａ，１ｂの他、回路基板（プリント配線基板）１１や、電子部品１２、電気部品１３、配線１４等（図１０等参照）が収容されている（入っている）。すなわち、ドッキングステーション１は、電子機器（第一の電子機器）や、電気機器、機器の一例でもある。
【００１４】
図２〜５等に示されるように、電子機器２は、本実施形態では、例えば、所謂スレート型、タブレット型、ソフトキーボードの機能を有した表示装置等の、パーソナルコンピュータ、テレビ、スマートフォン、携帯電話機などである。電子機器２は、第二の電子機器、他の電子機器、外部機器の一例である。
【００１５】
電子機器２の筐体２ｂは、開口部２ｃが設けられた前壁２ｄと、この前壁２ｄの反対側に位置されて前壁（第一壁、第一部分、第一領域）２ｄと略並行した後壁（第二壁、第二部分、第二領域）２ｅと、前壁２ｄと後壁２ｅとの間に亘る側壁（第三壁、第三部分、第三領域）２ｆと、を含む。前壁２ｄおよび後壁２ｅは、矩形状（一例としては長方形状）である。筐体２ｂは、扁平な直方体状である。前壁２ｄは、壁部、第一の壁部、表壁部の一例である。後壁２ｅは、壁部、第二の壁部、裏壁部の一例である。また、側壁２ｆは、壁部、第三の壁部、立壁部、周壁部、端壁部の一例である。筐体２ｂは、複数の部品（分割体）が組み合わせられて構成されうる。筐体２ｂは、一例としては、図２，３に示されるように、少なくとも前壁２ｄを含む第一部分２Ｆｒと、少なくとも後壁２ｅを含む第二部分２Ｒｒとを有する。側壁２ｆは、第一部分２Ｆｒおよび第二部分２Ｒｒのうち少なくともいずれか一方（本実施形態では一例として第二部分２Ｒｒ）に含まれる。
【００１６】
また、筐体２ｂは、四つの辺部（端部、側部、縁部）２ｇ，２ｈ，２ｉ，２ｊと、四つの角部２ｋとを備える。辺部２ｇ，２ｉは、長辺部の一例である、辺部２ｈ，２ｊは、短辺部の一例である。本実施形態では、一例として、電子機器２は、長辺部としての辺部２ｇ，２ｉが横に延び、短辺部としての辺部２ｈ，２ｊが縦に延びた姿勢、すなわち、横長の姿勢で、ドッキングステーション１に支持される。電子機器２のコネクタ２ａは、辺部（第一の辺部）２ｉの一部である側壁２ｆに設けられた開口部２ｒ内に設けられ、この開口部２ｒから露出している。ドッキングステーション１のコネクタ１ａ（図６，７等参照）は、開口部２ｒから筐体２ｂ内に進入し、コネクタ２ａと接続される。図１に示されるように、ドッキングステーション１は、電子機器２の筐体２ｂの辺部２ｉの少なくとも一部を支持あるいは保持する。本実施形態では、ドッキングステーション１は、一例として、側壁２ｆ、前壁２ｄ（図１，２参照）、および後壁２ｅ（図３参照）を外側から略Ｕ字状に囲んだ状態で、辺部２ｉの中央部を支持（保持）している。
【００１７】
筐体２ｂの内部には、表示部として、扁平な直方体状のディスプレイパネル３が収容されている。ディスプレイパネル３の表示画面３ａは、前壁２ｄの開口部２ｃから露出している。ディスプレイパネル３は、表示装置、表示ジュール、モジュール、パネル、電子部品の一例である。ディスプレイパネル３は、例えば、液晶ディスプレイ（ＬＣＤ，liquid crystal display）や有機ＥＬディスプレイ（ＯＥＬＤ，organic electro-luminescent display）等である。また、ディスプレイパネル３の前側には、入力部として、透明な比較的薄い入力操作パネル（一例としてはタッチパネル）４が設けられている。入力操作パネル４は、ディスプレイパネル３の前面（表面）としての表示画面３ａを覆っている。操作者（ユーザ等）は、例えば、手指やスタイラス等で入力操作パネル４に触れる、押す、擦る、あるいは手指やスタイラス等を入力操作パネル４の近傍で動かすことで、入力操作を実行することができる。また、ディスプレイパネル３の表示画面３ａから出た光は、入力操作パネル４を通過して開口部２ｃから電子機器２の外へ出る。
【００１８】
また、筐体２ｂの内部には、ディスプレイパネル３の裏側（後側）等に、モジュールや部品として、コネクタ２ａの他、回路基板（プリント配線基板）や、電子部品、電気部品、配線等（いずれも図示されず）が収容されている。さらに、筐体２ｂの内部には、電気部品としてのバッテリパック（充電部、電池部、バッテリ、充電池）５が収容されている（入っている）。バッテリパック５は、図３に示されるように、扁平な形状（一例としては矩形板状）を有し、前壁２ｄおよび後壁２ｅに沿った姿勢で、電子機器２の筐体２ｂの長手方向の中央に位置して短手方向に沿う中心線ＣＬ１を、長手方向に跨ぐ状態で設けられている。これにより、バッテリパック５が中心線ＣＬ１に対して一方に偏って配置されていた場合に比べて、ドッキングステーション１は、電子機器２を支持する際に、中心線ＣＬ１の両側でのバランスを保ちやすくなる。そして、電子機器２のコネクタ２ａは、図３，５等に示されるように、辺部２ｉの中央あるいはその近傍に位置され、ドッキングステーション１のコネクタ１ａは、図６に示されるように、ドッキングステーション１の辺部２ｉに沿う方向の中央あるいはその近傍に位置される。これにより、電子機器２の重量等によるコネクタ１ａ，２ａへの負荷を減らしやすくなる。
【００１９】
また、図２〜４に示されるように、本実施形態では、一例として、電子機器２の辺部２ｊに、カメラ６ａを含むカメラモジュール６が設けられている。カメラモジュール（撮像部、撮像モジュール、受像モジュール、受信モジュール）６は、一例として、カバー６ｂと、前面側のカメラ６ａ１と、後面側のカメラ６ａ２と、を有し、カメラ６ａ１，６ａ２は、カバー６ｂに設けられた開口部６ｃから露出している。また、カメラモジュール６は、一例として、ドッキングステーション１が支持する辺部２ｉとは異なる辺部２ｊの、筐体２ｂの短手方向の中央部となる位置に、設けられている。カメラモジュール６は、電子機器２がドッキングステーション１に支持された状態で露出する。また、本実施形態では、カバー６ｂの材質、塗装、表面処理等を筐体２ｂと異ならせることで、筐体２ｂとカバー６ｂとの外見上の差（色、模様、光の反射具合等）を大きくし、カメラモジュール６をより目立たせている。一例としては、筐体２ｂの表面を黒色や白色等で塗装するのに対し、カバー６ｂの表面にメッキ処理等することで銀色等の金属光沢を出し、当該表面を鏡面状に形成することができる。さらに、図４に示されるように、本実施形態では、一例として、このカバー６ｂの表面（筐体２ｂの側面２ｔ３の一部）に、商品や、サービス、メーカ、サプライヤ、等のブランドの名前や意匠を表すロゴ（ロゴタイプ、文字列やデザイン等）７が設けられている。ロゴ７は、カバー６ｂの表面にシールを貼ったり印刷したり等することで、設けることができる。このような構成により、カメラモジュール６とともに、ロゴ７を目立たせることができる。また、ロゴ７を目立たせるスペースをカメラモジュール６のスペースとを共用できるので、電子機器２の表面２ｔのスペースをより有効に活用することができる。また、カメラモジュール６のカバー６ｂは、筐体２ｂより小さく、筐体２ｂに比べて印刷等によってロゴ７を設けやすいという利点もある。カメラモジュール６はモジュールの一例である。なお、図中、ロゴ（７等）は、記号等を含む形態で模式的に示されている。
【００２０】
図６〜９に示されるように、ドッキングステーション１は、筐体１０と、筐体１０の上壁１０ａから突出した第一突出部１０ｂおよび第二突出部１０ｃと、を備えている。筐体１０は、上壁１０ａと、この上壁１０ａの反対側に位置されて上壁１０ａと略並行した下壁１０ｄと、上壁１０ａと下壁１０ｄとの間に亘る側壁１０ｅと、を含む。上壁１０ａおよび下壁１０ｄは、矩形状（一例としては長方形状）である。筐体１０は、扁平な直方体状である。上壁１０ａは、壁部、第一の壁部、表壁部の一例である。下壁１０ｄは、壁部、第二の壁部、裏壁部の一例である。また、側壁１０ｅは、壁部、第三の壁部、立壁部、周壁部、端壁部の一例である。なお、本実施形態では、一例として、第一突出部１０ｂは、筐体１０（の第一部分１０Ｆｒ）に一体化され、第二突出部１０ｃは、筐体１０とは別部材として構成されている。筐体１０、第一突出部１０ｂ、第二突出部１０ｃ等は、合成樹脂材料や金属材料等によって構成することができる。
【００２１】
筐体１０は、上壁１０ａの法線方向からの視線で、四つの辺部（端部、側部、縁部）１０ｆ，１０ｇ，１０ｈ，１０ｉと、四つの角部１０ｊと、を備える。第一突出部１０ｂは、前側の辺部１０ｆから突出し、第二突出部１０ｃは、辺部１０ｆから反対側の辺部１０ｈ側（後側）に間隔をあけて離間した位置から突出している。第一突出部１０ｂの後面（面）１０ｋと、第二突出部１０ｃの前面（面）１０ｍとは、略並行して配置されている。また、本実施形態では、一例として、第一突出部１０ｂおよび第二突出部１０ｃが、壁状（板状）である。よって、第一突出部１０ｂおよび第二突出部１０ｃは、略並行して配置されている。
【００２２】
上述したように、ドッキングステーション１は、電子機器２の辺部２ｉを支持する。すなわち、図１，６，９等を参照すればわかるように、ドッキングステーション１の第一突出部１０ｂ、第二突出部１０ｃ、および筐体１０の上壁１０ａが、辺部２ｉを、外側から囲んでいる。本実施形態では、第一突出部１０ｂは、電子機器２の前壁２ｄの表面２ｔとしての前面（第一面、第一領域、第一部分）２ｔ１の一部を覆っている。また、第二突出部１０ｃは、電子機器２の後壁２ｅの表面２ｔとしての後面（第二面、第二領域、第二部分）２ｔ２の一部を覆っている。また、筐体１０の上壁１０ａは、電子機器２の側壁２ｆの表面２ｔとしての側面（第三面、第三領域、第三部分）２ｔ３の一部を覆っている。よって、第一突出部１０ｂ、第二突出部１０ｃ、および上壁１０ａは、電子機器２の少なくとも一部を覆う覆部の一例である。なお、本実施形態では、第一突出部１０ｂと、第二突出部１０ｃと、上壁１０ａのうち第一突出部１０ｂと第二突出部１０ｃとの間に位置した亘部１０ａ１とが、凹部１０ｎを構成している。よって、上壁１０ａの亘部１０ａ１は、電子機器２の辺部２ｉを支持する凹部（溝部）１０ｎの底部あるいは奥部の一例である。
【００２３】
また、図９に示されるように、第一突出部１０ｂおよび第二突出部１０ｃは、後方に向けて若干傾斜している。すなわち、第一突出部１０ｂおよび第二突出部１０ｃは、後方に傾きながら、すなわち、辺部１０ｆから辺部１０ｈに向かう方向に傾斜しながら、上方へ突出している。よって、電子機器２がドッキングステーション１に支持された状態では、第二突出部１０ｃには重力が作用した電子機器２の後面２ｔ２が接触するとともに、上壁１０ａには重力が作用した電子機器２の側面２ｔ３（辺部２ｉ）が接触する。すなわち、本実施形態では、第二突出部１０ｃは、電子機器２の後面２ｔ２を支持する第一支持部（第一部分）の一例であり、上壁１０ａは、電子機器２の側面２ｔ３（辺部２ｉ）を支持する第二支持部（第二部分）の一例である。また、第一突出部１０ｂは、電子機器２の辺部２ｉが前方へ移動するのを抑制する場合がある。この場合、第一突出部１０ｂは、電子機器２の前面２ｔ１（辺部２ｉ）を支持する第三支持部（第三部分）の一例である。
【００２４】
第二突出部１０ｃは、第一突出部１０ｂより高く突出している。よって、操作者（ユーザ等）は、電子機器２をドッキングステーション１に置く際に、電子機器２の後面２ｔ２を第二突出部１０ｃの前面１０ｍに沿って滑らせることができる。すなわち、第二突出部１０ｃは、ガイド部の一例でもある。また、図４，５等に示されるように、電子機器２の後面２ｔ２と側面２ｔ３との間の境界部分２ｕは、丸く面取りされている。すなわち、側面２ｔ３および境界部分２ｕは、曲面状に形成されるとともに、側面２ｔ３および後面２ｔ２は、滑らかに連続している。よって、操作者（ユーザ等）は、電子機器２をドッキングステーション１に置く際に、第二突出部１０ｃの前面１０ｍに電子機器２の側面２ｔ３を当てて第二突出部１０ｃに沿って滑らせることで、側面２ｔ３が第二突出部１０ｃの前面１０ｍに触れる姿勢から後面２ｔ２が第二突出部１０ｃの前面１０ｍに触れる姿勢に、電子機器２を比較的円滑に動かすことができる。よって、操作者（ユーザ等）は、比較的容易に電子機器２を凹部１０ｎに挿入し、ドッキングステーション１に支持させることができる。
【００２５】
図６，９等に示されるように、コネクタ１ａは、第一突出部１０ｂと第二突出部１０ｃとの間で亘部１０ａ１（上壁１０ａ）から突出している。すなわち、コネクタ１ａは、凹部１０ｎ内に設けられている。また、コネクタ１ａは、第一突出部１０ｂの後面１０ｋおよび第二突出部１０ｃの前面１０ｍと並行して突出している。また、図９に示されるように、コネクタ１ａは、亘部１０ａ１（上壁１０ａ）に設けられた開口部１０ｐを介して、筐体１０の内部から外部へ突出している。また、亘部１０ａ１（上壁１０ａ）のコネクタ１ａの周囲には、ゴムやスポンジ等の弾性体を含む緩衝部１０ｒが設けられている。この緩衝部１０ｒによって、電子機器２がドッキングステーション１に支持される際（接続される際）に側面２ｔ３や辺部２ｉに衝撃が加わるのを、抑制することができる。
【００２６】
また、図７に示されるように、コネクタ１ａは、正面視で左右方向（すなわち電子機器２の辺部２ｉに沿う方向）の中央部に位置されている。また、コネクタ１ａは、第一突出部１０ｂより高く突出している。このため、操作者（ユーザ等）は、電子機器２をドッキングステーション１に支持させる際（接続する際）に、コネクタ１ａを視認しながら、コネクタ１ａを目標として、電子機器２を所定の支持位置（接続位置）に移動させやすくなる。ドッキングステーション１と電子機器２との間では、コネクタ１ａ（の端子）およびコネクタ２ａ（の端子）を介して、一例としては、電源電力や、各種データ、映像信号、音声信号等が送受される。
【００２７】
図８に示されるように、筐体１０の後側の側壁１０ｅには開口部１０ｓが設けられている。これら開口部１０ｓからは、複数のコネクタ１ｂが露出している。コネクタ１ｂとしては、例えば、電源電力用コネクタ１ｂ１や、音声信号用コネクタ１ｂ２、データ用コネクタ１ｂ３、映像信号用コネクタ１ｂ４等を設けることができる。なお、これらコネクタ１ｂは、筐体１０の後部に限らず、前部や、側部、上部等に設けることもできる。
【００２８】
筐体１０は、複数の部品（分割体）が組み合わせられて構成されうる。筐体１０は、一例としては、図９に示されるように、第二突出部１０ｃより前側の第一部分１０Ｆｒと、第二突出部１０ｃより後側の第二部分１０Ｒｒとを有する。第二突出部１０ｃは、第一部分１０Ｆｒと第二部分１０Ｒｒとの境界部分に形成された凹部１０ｔに挿入され、第一部分１０Ｆｒと第二部分１０Ｒｒとで挟まれている。
【００２９】
図１０に示されるように、本実施形態では、一例として、第二部分１０Ｒｒの内部に、回路基板１１が収容されている。回路基板１１には、電子部品１２や、電気部品１３、配線１４、コネクタ１ｂ等が設けられている。なお、図１０では、回路基板１１に設けられた配線パターンの図示は省略されている。また、コネクタ１ａは、回路基板１１に、可撓性を有したフレキシブルケーブル１４ａを介して接続されている。フレキシブルケーブル１４ａは、例えば、フレキシブルプリント配線板や、フラットケーブル等として構成することができる。また、コネクタ１ａは、回路基板（第二の回路基板）１７に設けられ、第一部分１０Ｆｒの内部に収容されている。そして、本実施形態では、一例として、コネクタ１ａ（回路基板１７）は、可撓性および弾性を有した弾性支持部１５を介して、第一部分１０Ｆｒ（筐体１０）に固定されている。弾性支持部１５は、例えば、ゴムや合成樹脂材料、スポンジ、コイルスプリング等の弾性体を含み、ねじ１６等の固定具によって、コネクタ１ａとともに第一部分１０Ｆｒに固定されている。これにより、電子機器２からコネクタ１ａに比較的大きな力や過大な力が入力された場合にあっても、コネクタ１ａは弾性的に開口部１０ｐから筐体１０内に引き込むことができる。よって、コネクタ１ａに電子機器２から比較的大きな力が入力されるのを抑制することができる。さらに、上述したように、コネクタ１ａと回路基板１１とは、フレキシブルケーブル１４ａを介して接続されている。よって、電子機器２から力を受けたコネクタ１ａが上下動しても、コネクタ１ａ（の端子）と回路基板１１とが電気的に接続された状態を維持することができるし、コネクタ１ａに加わった力が回路基板１１に伝達されるのを抑制することができる。
【００３０】
図１１に示されるように、本実施形態では、一例として、第二突出部１０ｃは、ねじ１６等の固定具によって、第二部分１０Ｒｒの第一部分１０Ｆｒとの境界部分（すなわち、前端部、端部）に固定される。そして、図１０，１１に示されるように、第一部分１０Ｆｒは、第二部分１０Ｒｒから前方（第一部分１０Ｆｒ側）に向けて突出した突出部１０ｕに、ねじ１６等の固定具によって固定される。コネクタ１ａは、第一部分１０Ｆｒの亘部１０ａ１となる上壁１０ａに設けられた開口部１０ｐから、突出している。これにより、筐体１０から第二突出部１０ｃが比較的高く突出した構成を、比較的強固でありかつ比較的軽量な構成として得ることができる。
【００３１】
図１２，２等に示されるように、本実施形態では、電子機器２の辺部２ｉの長手方向の中央部に、ドッキングステーション１に電子機器２が支持される際（接続される際）の、ドッキングステーション１との位置決めの目印となりうるマーク部（印、インジケータ、位置決め、視認領域、意匠部、確認部、導入部）３０が設けられている。このマーク部３０は、電子機器２の筐体２ｂがドッキングステーション１に接続される位置を操作者（ユーザ等）に示すための目印でもある。マーク部３０は、本実施形態では、一例として、筐体２ｂの前面２ｔ１に、コネクタ１ａ，２ａの接続方向（図１２の上下方向）に沿って延びた線分状の印として、例えば印刷等されることで設けられている。マーク部３０は、第一マーク部、印部の一例である。
【００３２】
また、図１２，６等に示されるように、本実施形態では、ドッキングステーション１の第二突出部１０ｃに、ドッキングステーション１に電子機器２が支持される際の、電子機器２（のマーク部３０）との位置決めの目印となりうるマーク部（印、インジケータ、位置決め、視認領域、意匠部、確認部、導入部）４０が設けられている。このマーク部４０は、電子機器２の筐体２ｂがドッキングステーション１に接続される位置を操作者（ユーザ等）に示すための目印でもある。マーク部４０は、本実施形態では、一例として、第二突出部１０ｃの前面１０ｍに、コネクタ１ａ，２ａの接続方向に沿って延びた線分状あるいは短冊状の印として、例えば印刷等されることで設けられている。マーク部４０は、第二マーク部、印部の一例である。
【００３３】
さらに、図１２，６，７等に示されるように、本実施形態では、ドッキングステーション１のコネクタ１ａに、ドッキングステーション１に電子機器２が支持される際の、電子機器２（のマーク部３０）との位置決めの目印となりうるマーク部（印、インジケータ、位置決め、視認領域、意匠部、確認部、導入部）５０が設けられている。このマーク部５０は、電子機器２の筐体２ｂがドッキングステーション１に接続される位置を操作者（ユーザ等）に示すための目印でもある。マーク部５０は、本実施形態では、一例として、コネクタ１ａの前面１ｃに、板状の金属部分（薄板部分）をＵ字状にくりぬいて周囲から突出させた（切り起こした）ばね部として設けられている。マーク部５０は、第二マーク部、印部の一例である。
【００３４】
このように、本実施形態では、ドッキングステーション１および電子機器２に、マーク部３０，４０，５０が設けられている。よって、本実施形態によれば、一例として、操作者（ユーザ）は、図１２に示されるような正面視で、これらマーク部３０，４０，５０を目印として視認しながら、これらマーク部３０，４０，５０を電子機器２の移動方向（接続方向、差込方向、挿入方向、嵌合方向、上下方向）に重ねて位置合わせした状態で、電子機器２を、ドッキングステーション１の支持位置（接続位置、図１３に示される位置）に向けて、より容易にあるいはより精度良く移動させやすい。
【００３５】
また、本実施形態では、第二マーク部としてのマーク部４０は、第一支持部としての第二突出部１０ｃに設けられた。すなわち、本実施形態では、突出された第二突出部１０ｃにマーク部４０が設けられているため、一例としては、操作者（ユーザ等）がマーク部４０をより視認しやすい。さらに、第二突出部１０ｃが比較的高く（第一突出部１０ｂあるいはコネクタ１ａよりも高く）突出している場合には、コネクタ１ａ，２ａが接続される位置から比較的離れた高い位置にマーク部４０を設けることができるため、一例としては、操作者（ユーザ等）が電子機器２をドッキングステーション１の支持位置（接続位置）に向けて移動させる際の比較的早い段階から、電子機器２とドッキングステーション１とを位置合わせすることができ、一例としては、電子機器２を、ドッキングステーション１の支持位置（接続位置）に向けて、より一層容易にあるいはより一層精度良く移動させやすくなる。
【００３６】
また、本実施形態では、コネクタ１ａが覆部としての第一突出部１０ｂよりも高く突出している。よって、本実施形態によれば、一例としては、操作者（ユーザ等）がコネクタ１ａをより視認しやすい。よって、一例としては、操作者（ユーザ等）は、視認によりマーク部３０とコネクタ１ａとを位置合わせしやすくなり、一例としては、電子機器２を、ドッキングステーション１の支持位置（接続位置）に向けて、より一層容易にあるいはより一層精度良く移動させやすくなる。
【００３７】
また、本実施形態では、第二マーク部としてのマーク部５０は、コネクタ１ａに設けられた。よって、本実施形態によれば、一例としては、コネクタ１ａが電子機器２に挿入される直前の段階でも、操作者（ユーザ等）は、コネクタ１ａのマーク部５０を視認することで、電子機器２とドッキングステーション１とを位置合わせすることができ、一例としては、電子機器２を、ドッキングステーション１の支持位置（接続位置）に向けて、より一層容易にあるいはより一層精度良く移動させやすくなる。
【００３８】
また、本実施形態では、マーク部３０，４０は、電子機器２がドッキングステーション１へ支持される（接続される）際の、電子機器２のドッキングステーション１に対する相対的な移動方向（接続方向、差込方向、挿入方向、嵌合方向、上下方向）に沿って延びている。よって、本実施形態では、一例としては、電子機器２のドッキングステーション１に対する相対的な正しい位置ならびに移動方向を認識しやすくなり、一例としては、電子機器２を、ドッキングステーション１の支持位置（接続位置）に向けて、より一層容易にあるいはより一層精度良く移動させやすくなる。
【００３９】
＜第２実施形態＞
図１４に示される本実施形態にかかるドッキングステーション１Ａは、上記第１実施形態にかかるドッキングステーション１と同様の構成を有している。よって、本実施形態にかかるドッキングステーション１Ａによっても、上記第１実施形態と同様の効果を得ることができる。ただし、本実施形態では、第二突出部１０ｃが筐体１０に弾性的に着脱可能に構成されている。具体的には、一例として、第二突出部１０ｃの、筐体１０内に挿入される部分（下端部、端部）に、弾性的に変形可能な突出部１０ｖが設けられている。この突出部１０ｖには、筐体１０内で当該筐体１０の一部（図示されず）と係わって、突出部１０ｖひいては第二突出部１０ｃが筐体１０に対して移動するのを抑制する係部（抜止部）１０ｖ１が、設けられている。本実施形態によれば、一例としては、ドッキングステーション１Ａをより容易に分解したり組み立てたりすることができる。よって、一例としては、ドッキングステーション１Ａが梱包される際のサイズや、運搬される際のサイズ等を小さくしやすくなる。
【００４０】
＜第３実施形態＞
図１５に示される本実施形態にかかるドッキングステーション１Ｂは、上記第１実施形態にかかるドッキングステーション１と同様の構成を有している。よって、本実施形態にかかるドッキングステーション１Ｂによっても、上記第１実施形態と同様の効果を得ることができる。ただし、本実施形態では、ドッキングステーション１Ｂのマーク部４０Ｂが、ドッキングステーション１Ｂの筐体１０や、第一突出部１０ｂ、第二突出部１０ｃ等の表面に設けられた複数の模様１９の境界部分として、設けられている。本実施形態でも、上記第１実施形態と同様、模様１９の境界部分としてのマーク部４０Ｂは、電子機器２がドッキングステーション１Ｂへ支持される（接続される）際の、電子機器２のドッキングステーション１に対する相対的な移動方向（接続方向、差込方向、挿入方向、嵌合方向、上下方向）に沿って延びている。本実施形態によれば、ドッキングステーション１Ｂに模様１９を設ける際に、模様１９を利用してマーク部４０Ｂを設けることができる。よって、一例としては、別途マーク部４０Ｂを設ける場合に比べて、製造の手間を減らすことができる。なお、本実施形態では、第二突出部１０ｃに、電子機器２を無線給電可能な給電部としてのコイル１８が設けられている。本実施形態および上記第１、第２実施形態にかかるドッキングステーション１，１Ａ，１Ｂは、電子機器２の壁部としての後壁２ｅと比較的広い範囲で対向可能な第二突出部１０ｃを備えている。この第二突出部１０ｃには、電子機器２により効率良く無線給電可能な給電部を設けやすい。
【００４１】
＜第４実施形態＞
図１６に示される本実施形態にかかるドッキングステーション１Ｃは、上記第１実施形態にかかるドッキングステーション１と同様の構成を有している。よって、本実施形態にかかるドッキングステーション１Ｃによっても、上記第１実施形態と同様の効果を得ることができる。ただし、本実施形態では、第二突出部１０ｃは、上記第１〜第３実施形態のような支持位置（接続位置）にある電子機器２の後面２ｔ２に沿った壁状（板状）ではなく、第二突出部１０ｃは、電子機器２のドッキングステーション１Ｃに対する相対的な移動方向でありかつ後面２ｔ２と交叉（一例としては直交）する方向に沿った壁状（板状）に形成されている。本実施形態によれば、複数の第二突出部１０ｃの端縁（端面）４０Ｃで、電子機器２の後壁２ｅ（後面２ｔ２）を支持するため、一例としては、電子機器２を移動させる際の抵抗を減らすことができる。また、ドッキングステーション１Ｃの第二マーク部（印部）として、端面４０Ｃを利用することができる。よって、一例としては、印刷等することで別途第二マーク部を設ける手間が不要となる。
【００４２】
＜第５実施形態＞
図１７，１８に示される本実施形態にかかるドッキングステーション１Ｄは、上記第１実施形態にかかるドッキングステーション１と同様の構成を有している。よって、本実施形態にかかるドッキングステーション１Ｄによっても、上記第１実施形態と同様の効果を得ることができる。ただし、本実施形態では、背面視でも電子機器２とドッキングステーション１Ｄとを位置合わせすることができる。すなわち、第二突出部１０ｃの下部に開口部１０ｗが設けられ、第二突出部１０ｃの後方からコネクタ１ａを視認することができる。コネクタ１ａ（の後面）にも、上記第１実施形態のマーク部５０と同様のマーク部５０Ｄが設けられている。また、電子機器２の後面２ｔ２には、複数の模様１９の境界部分３０Ｄ１が、電子機器２の長手方向の中心を通り短手方向に沿った中心線ＣＬ１に沿って設けられている。また、後面２ｔ２には、中心線ＣＬ１に沿ってロゴ３０Ｄ２が印刷等されることで設けられている。さらに、第二突出部１０ｃの後面１０ｘには、棒状のマーク部４０Ｄが印刷等されることで設けられている。境界部分３０Ｄ１およびロゴ３０Ｄ２は、第一マーク部、印部の一例であり、マーク部４０Ｄ，５０Ｄは第二マーク部、印部の一例である。図１７，１８から明らかとなるように、操作者（ユーザ等）は、境界部分３０Ｄ１、ロゴ３０Ｄ２、マーク部４０Ｄ，５０Ｄを目印として視認しながら、境界部分３０Ｄ１またはロゴ３０Ｄ２とマーク部４０Ｄまたはマーク部５０Ｄとを電子機器２の移動方向（接続方向、差込方向、挿入方向、嵌合方向、上下方向）に重ねて位置合わせした状態で、電子機器２を、ドッキングステーション１Ｄの支持位置（接続位置、図１８に示される位置）に向けて、より容易にあるいはより精度良く移動させやすい。
【００４３】
＜第６実施形態＞
図１９に示される本実施形態にかかるドッキングステーション１Ｅは、上記第１実施形態にかかるドッキングステーション１と同様の構成を有している。よって、本実施形態にかかるドッキングステーション１Ｅによっても、上記第１実施形態と同様の効果を得ることができる。ただし、本実施形態では、第一マーク部として、電子機器２Ｅの辺部２ｉの前面２ｔ１に、ロゴ３０Ｅ１が設けられている。操作者（ユーザ等）は、ロゴ３０Ｅ１の中心をマーク部４０，５０と位置合わせしながら、電子機器２Ｅを、ドッキングステーション１Ｅの支持位置（接続位置）に向けて、より容易にあるいはより精度良く移動させやすい。さらに、本実施形態では、第一マーク部として、電子機器２Ｅの辺部２ｉの前面２ｔ１に、機能部品として複数の操作ボタン３０Ｅ２が設けられている。この構成では、複数の操作ボタン３０Ｅ２が、電子機器２Ｅの長手方向の中心を通り短手方向に沿った中心線ＣＬ１について対称に配置されている。そして、これら複数の操作ボタン３０Ｅ２は、正面視でのドッキングステーション１Ｅの側端部（端部）１ｄの近傍に配置されている。このように、本実施形態では、ロゴ３０Ｅ１や機能部品としての複数の操作ボタン３０Ｅ２（あるいは複数の操作ボタン３０Ｅ２の間の領域）を、第一マーク部（印部）として利用することができる。
【００４４】
また、図１９に示されるように、ドッキングステーション１Ｅの前部（前面）には、機能部品として、スピーカ１ｅ、音声信号用コネクタ１ｂ２、データ用コネクタ１ｂ３が、設けられている。この構成では、複数のスピーカ１ｅが、コネクタ１ａの中心位置（電子機器２Ｅの第一マーク部としてのロゴ３０Ｅ１の中心位置）を通り、電子機器２Ｅの移動方向（接続方向、差込方向、挿入方向、嵌合方向、上下方向）に沿った中心線ＣＬ２について対称に配置され、データ用コネクタ１ｂ３が中心線ＣＬ２に位置合わせされた状態で配置されている。すなわち、本実施形態では、機能部品としての複数のスピーカ１ｅ（あるいは複数のスピーカ１ｅの間の領域）やデータ用コネクタ１ｂ３を、第二マーク部（印部）として利用することができる。
【００４５】
＜第７実施形態＞
図２０に示される本実施形態にかかるドッキングステーション１Ｆは、上記第１実施形態にかかるドッキングステーション１と同様の構成を有している。よって、本実施形態にかかるドッキングステーション１Ｆによっても、上記第１実施形態と同様の効果を得ることができる。そして、本実施形態では、上記第６実施形態と同様に、ロゴ３０Ｆを第一マーク部（印部）として利用する。ロゴ３０Ｆは、本実施形態でも、上記第６実施形態と同様に、電子機器２Ｆの辺部２ｉの前面２ｔ１に設けられている。ただし、本実施形態では、ロゴ３０Ｆ中の文字に、特定の位置（例えば、第二マーク部に対応した位置）を指示可能な要素（例えば、文字や図形、一例としては「Ｉ」等）３０Ｆａが含まれている。よって、操作者（ユーザ等）は、この要素３０Ｆａによって、より一層位置合わせしやすい。
【００４６】
＜第８実施形態＞
図２１，２２に示される本実施形態にかかるドッキングステーション１Ｇは、上記第１実施形態にかかるドッキングステーション１と同様の構成を有している。よって、本実施形態にかかるドッキングステーション１Ｇによっても、上記第１実施形態と同様の効果を得ることができる。ただし、本実施形態では、電子機器２Ｇには、第一マーク部（印部）としてロゴ３０Ｇが設けられ、ドッキングステーション１Ｇには、第二マーク部（印部）としてロゴ４０Ｇ，６０Ｇが設けられている。ロゴ３０Ｇは、本実施形態でも、上記第６，第７実施形態と同様に、電子機器２Ｇの辺部２ｉの前面２ｔ１に設けられている。また、ロゴ４０Ｇは、第二突出部１０ｃの前面１０ｍに設けられ、ロゴ６０Ｇは、第一突出部１０ｂの前部に設けられている。そして、図２１に示されるように、これらロゴ３０Ｇ，４０Ｇ，６０Ｇは、正面視で、電子機器２Ｇの移動方向（接続方向、差込方向、挿入方向、嵌合方向、上下方向）に沿って重ねて配置されている。したがって、操作者（ユーザ等）は、ロゴ３０Ｇ，４０Ｇ，６０Ｇを目印として視認しながら、ロゴ３０Ｇ，４０Ｇ，６０Ｇを電子機器２Ｇの移動方向（接続方向、差込方向、挿入方向、嵌合方向、上下方向）に重ねて位置合わせした状態で、電子機器２Ｇを、ドッキングステーション１Ｇの支持位置（接続位置、図２２に示される位置）に向けて、より容易にあるいはより精度良く移動させやすい。
【００４７】
＜第９実施形態＞
図２３に示される本実施形態にかかるドッキングステーション１Ｈは、上記第１実施形態にかかるドッキングステーション１と同様の構成を有している。よって、本実施形態にかかるドッキングステーション１Ｈによっても、上記第１実施形態と同様の効果を得ることができる。そして、本実施形態では、上記第６〜第８実施形態と同様に、ロゴ３０Ｈを第一マーク部（印部）として利用する。ただし、本実施形態では、正面視で、ロゴ３０Ｈの幅Ｗ１が、コネクタ１ａの幅Ｗ２に対応している。したがって、操作者（ユーザ等）は、ロゴ３０Ｈを目印として視認しながら、ロゴ３０Ｈとコネクタ１ａとを電子機器２Ｈの移動方向（接続方向、差込方向、挿入方向、嵌合方向、上下方向）に重ねて位置合わせした状態で、電子機器２Ｈを、ドッキングステーション１Ｈの支持位置（接続位置）に向けて、より容易にあるいはより精度良く移動させやすい。
【００４８】
＜第１０実施形態＞
図２４，２５に示される本実施形態にかかるドッキングステーション１Ｉは、上記第１実施形態にかかるドッキングステーション１と同様の構成を有している。よって、本実施形態にかかるドッキングステーション１Ｉによっても、上記第１実施形態と同様の効果を得ることができる。ただし、本実施形態では、第一マーク部（印部）として、機能部品としての複数の操作ボタン３０Ｉを利用している。操作ボタン３０Ｉは、この構成では、複数の操作ボタン３０Ｉが、電子機器２Ｉの長手方向の中心を通り短手方向に沿った中心線ＣＬ１について対称に配置されている。本実施形態では、図２４に示されるように、操作者（ユーザ等）は、複数の操作ボタン３０Ｉを、ドッキングステーション１Ｉの側端部（端部）１ｄに位置合わせしながら、電子機器２Ｉを、ドッキングステーション１Ｉの支持位置（接続位置）に向けて、より容易にあるいはより精度良く移動させやすい。そして、本実施形態では、図２５に示されるように、電子機器２Ｉがドッキングステーション１Ｉに支持された（接続された）状態で、操作ボタン３０Ｉが、ドッキングステーション１Ｉの第一突出部１０ｂに設けられた切欠１０ｙを介して露出している。よって、本実施形態では、電子機器２Ｉがドッキングステーション１Ｉに支持された（接続された）状態でも、操作ボタン３０Ｉを使用することができる。
【００４９】
以上、本発明の実施形態について説明したが、上記実施形態は一例に過ぎない。本発明は上記実施形態には限定されず、種々の変形が可能である。また、上記各実施形態の技術的特徴は、適宜に組み合わせて実施することができる。
【００５０】
ドッキングステーションによって支持あるいは保持可能な電子機器は、上記実施形態に開示したものには限定されない。例えば、スマートフォンや、スマートブック、携帯電話機、折り畳み式の電子機器、モジュール等も、本発明の適用対象となりうる。また、ドッキングステーションは、複数種類や複数の大きさの電子機器について共用することもできる。
【００５１】
また、マーク部または印部は、視覚的に、点、線、領域、形状、領域や形状の境界等として認識できるものであればよく、上記実施形態に開示したものには限定されない。例えば、マーク部または印部は、突起や、凸部、凹部、貫通孔、スリット等の凹凸形状、あるいは、色、光沢、面粗度、反射率、屈折率、透過率、散乱性等、光学的な物性やその差異により、視覚的に識別できるものとして、構成することができる。また、発光素子や、発光体、発光部等を、マーク部または印部として用いてもよい。
【００５２】
また、例えば、図２６に示される第１実施形態の変形例のように、ドッキングステーション１Ｊにおける電子機器２の支持位置Ｐ１と、筐体１０の上壁１０ａの位置とを異なる位置とすることができる。これにより、ドッキングステーション１Ｊの筐体１０をより薄く構成することができる。
【００５３】
また、例えば、図２７に示される第５実施形態の変形例のように、ドッキングステーション１Ｋに、固定部材８を設けることができる。固定部材８は、一例としては、可撓性を有した合成樹脂材料等で形成されたストラップとすることができる。固定部材８の一端部には、ドッキングステーション１Ｋに支持された電子機器２の上端部に係る係部（第一固定部）としてのフック部８ａが設けられる。一方、固定部材８の他端部には、ドッキングステーション１Ｋが置かれる載置台２０等の他の部分にねじ１６等の固定具を通す第二固定部としての貫通孔８ｂが設けられている。また、固定部材８の一端部（第一固定部）と他端部（第二固定部）との間の位置が、ねじ１６によって、筐体１０に固定されている。このような構成により、電子機器２をドッキングステーション１Ｋにより安定的に支持することができる。なお、固定部材８は、ドッキングステーション１Ｋを外部部材に固定、または位置ずれしないように支持できる構成であればよく、例えば、吸盤や、両面テープ等であってもよい。また、固定部材８は、外部の部材ではなく、ドッキングステーション１Ｋに設けられてねじ等を貫通させる開口部等であってもよい。
【００５４】
また、ドッキングステーションや電子機器を少なくとも部分的に透明に構成する（スケルトンにする）ことができる。これにより、一例としては、コネクタやマーク部等の視認性を高めることができ、一例としては、より位置合わせしやすくなる。ドッキングステーションについては、特に、覆部としての第一突出部や、第一支持部としての第二突出部を、少なくとも部分的に透明に構成するのが好適である。
【００５５】
また、電子機器、ドッキングステーション、筐体、表示装置、印部、第一マーク部、第二マーク部、第一面、第二面、側部、第一コネクタ、第二コネクタ、第一支持部、第二支持部、第三支持部、覆部、模様、機能部品、機能部品間の領域、外部機器等のスペック（構造や、種類、方向、形状、大きさ、長さ、幅、厚さ、高さ、数、配置、位置、材質等）は、適宜変更して実施することができる。
【００５６】
本発明の実施形態によれば、一例としては、他の電子機器をドッキングステーションの所定の位置により容易にあるいはより精度良く移動させやすいドッキングステーション（電子機器）を得ることができる。また、ドッキングステーションと電子機器との組み合わせについて例示された上記実施形態には限定されず、本明細書で開示された二つの電子機器のコネクタを接続できる仕組みは、種々の装置や機構（例えば、機能拡張装置としての機能を有さない支持台、充電器、携帯電話機のクレイドル、携帯機器・テレビの支持台、外部機器を支持する機構、接続する機構等）に対しても、好適に応用することができる。
【符号の説明】
【００５７】
１，１Ａ〜１Ｋ…ドッキングステーション（電子機器、第一の電子機器）、１ａ…コネクタ（第二コネクタ）、２，２Ｅ〜２Ｉ…電子機器（他の電子機器、第二の電子機器、外部機器）、２ａ…コネクタ（第一コネクタ）、２ｂ…筐体、２ｉ…辺部（側部）、２ｔ１…前面、２ｔ２…後面（背面）、３…ディスプレイパネル、３ａ…表示画面、１０ａ…上壁（第二支持部）、１０ａ１…亘部（第二支持部）、１０ｂ…第一突出部（覆部）、１０ｃ…第二突出部（第一支持部）、３０…マーク部（第一マーク部、印部）、３０Ｄ１…境界部分（第一マーク部、印部）、３０Ｄ２…ロゴ（第一マーク部、印部）、３０Ｅ１…ロゴ（第一マーク部、印部）、３０Ｅ２…操作ボタン（第一マーク部、印部、機能部品）、３０Ｆ…ロゴ（第一マーク部、印部）、３０Ｆａ…要素、３０Ｇ…ロゴ（第一マーク部、印部）、３０Ｈ…ロゴ（第一マーク部、印部）、３０Ｉ…操作ボタン（第一マーク部、印部、機能部品）、４０…マーク部（第二マーク部、印部）、４０Ｂ…マーク部（第二マーク部、印部）、４０Ｃ…端面（第二マーク部、印部）、４０Ｄ…マーク部（第二マーク部、印部）、４０Ｇ…ロゴ（第二マーク部、印部）、５０…マーク部（第二マーク部、印部）、５０Ｄ…マーク部（第二マーク部、印部）、６０Ｇ…ロゴ（第二マーク部、印部）。
【図１】
0005121971.tif 000002
【図２】
0005121971.tif 000003
【図３】
0005121971.tif 000004
【図４】
0005121971.tif 000005
【図５】
0005121971.tif 000006
【図６】
0005121971.tif 000007
【図７】
0005121971.tif 000008
【図８】
0005121971.tif 000009
【図９】
0005121971.tif 000010
【図１０】
0005121971.tif 000011
【図１１】
0005121971.tif 000012
【図１２】
0005121971.tif 000013
【図１３】
0005121971.tif 000014
【図１４】
0005121971.tif 000015
【図１５】
0005121971.tif 000016
【図１６】
0005121971.tif 000017
【図１７】
0005121971.tif 000018
【図１８】
0005121971.tif 000019
【図１９】
0005121971.tif 000020
【図２０】
0005121971.tif 000021
【図２１】
0005121971.tif 000022
【図２２】
0005121971.tif 000023
【図２３】
0005121971.tif 000024
【図２４】
0005121971.tif 000025
【図２５】
0005121971.tif 000026
【図２６】
0005121971.tif 000027
【図２７】
0005121971.tif 000028